(57)【要約】【課題】ネジ止め箇所を減らし、係止爪による係止箇所を増やしたとしても、サービスパネルの脱着作業を一人で容易に行うことができる空気調和機の室外ユニットを提供することを目的とする。【解決手段】筐体９側に設けられている保守点検用の開口部１０に着脱自在に設けられるサービスパネル１１に、第１係止爪１２、爪部の高さが異なる第２係止爪１３および第３係止爪１４を設けるとともに、開口部１０の周縁に、第１係止爪１２、第２係止爪１３および第３係止爪１４と対応して各係止爪が係脱される第１係止孔１５、第２係止孔１６および第３係止孔１７を設け、第１ないし第３係止爪１２，１３，１４を順次第１ないし第３係止孔１５，１６，１７に挿し込み、係止させながら、全ての第１ないし第３係止爪１２，１３，１４を第１ないし第３係止孔１５，１６，１７に係止して、サービスパネル１１を筐体９の保守点検用の開口部１０に着脱自在に装着した。【選択図】図１
2014047957.tif 000002
【特許請求の範囲】
【請求項１】
筐体の前面パネルから側面パネルにかけてのコーナー部に開けられている保守点検用の開口部に着脱自在に設けられるサービスパネルと、
前記サービスパネルの側面側端縁の上下方向複数箇所に後方に突出して設けられ、前記側面パネルに係脱される複数の第１係止爪と、
前記サービスパネルの前面側端縁の上方領域および下方領域の各々に後方に突出して設けられ、前記前面パネルに係脱される各々１以上の第２係止爪および第３係止爪と、
前記前面パネルおよび前記側面パネルの前記開口部周縁に前記第１係止爪、前記第２係止爪および前記第３係止爪と対応して設けられ、各係止爪が係脱される第１係止孔、第２係止孔および第３係止孔と、を備え、
前記第１係止爪は、前記第１係止孔に対して係脱自在で、その基部の下面に下方に延びる掛り部と、上面に上方に延びる爪部とが設けられており、
前記第２係止爪および前記第３係止爪は、前記第１係止爪の前記掛り部が前記第１係止孔の下端部に引っ掛けられた状態で前記第２係止孔および前記第３係止孔に対して係脱自在で、かつ前記サービスパネルが上方にスライドされ、前記第１係止爪の前記爪部が前記第１係止孔の上端部に掛って前記側面パネルに係止されたとき、前記第２係止爪または前記第３係止爪の一方の爪部が前記第２または第３係止孔の一方の上端部に掛って前記前面パネルに係止され、更に前記サービスパネルが上方にスライドされたとき、前記第２係止爪および前記第３係止爪の他方の爪部が前記第２または第３係止孔の他方の上端部に掛って前記前面パネルに係止される高さに設定された爪部を備えていることを特徴とする空気調和機の室外ユニット。
【請求項２】
前記第２係止爪および前記第３係止爪は、前記下方領域に設けられている前記第３係止爪の方が前記上方領域に設けられている前記第２係止爪よりも前記爪部の高さが高くされており、前記サービスパネルの上方へのスライド時、前記第３係止爪の方が先に前記第３係止孔の上端部に掛って前記前面パネルに係止可能とされていることを特徴とする請求項１に記載の空気調和機の室外ユニット。
【請求項３】
前記第２係止爪および前記第３係止爪の後方への突出幅は、前記第１係止爪の後方への突出幅の略２倍程度とされていることを特徴とする請求項１または２に記載の空気調和機の室外ユニット。
【請求項４】
前記サービスパネルは、前記第１係止爪の前記掛り部が前記第１係止孔の下端部に引っ掛けられたとき、その前面側の下端縁が室外ユニットの設置面に接する高さに設定されていることを特徴とする請求項１ないし３のいずれかに記載の空気調和機の室外ユニット。
【請求項５】
前記サービスパネルは、最初の上方へのスライド時、その上部曲げガイド部が前記筐体の上面パネルの下縁に接し、更に上方に略同寸法スライドされることにより、前記第１ないし第３係止爪がそれぞれ前記第１ないし第３係止孔の上端部に当接可能とされていることを特徴とする請求項１ないし４のいずれかに記載の空気調和機の室外ユニット。
【請求項６】
前記サービスパネルは、前面側の少なくとも上下２箇所で前記前面パネルに対してネジ止め固定されていることを特徴とする請求項１ないし５のいずれかに記載の空気調和機の室外ユニット。
【発明の詳細な説明】
【技術分野】
【０００１】
本発明は、筐体に設けられている保守点検用開口部に、サービスパネルが着脱自在に設けられている空気調和機の室外ユニットに関するものである。
【背景技術】
【０００２】
筐体内部の機械室側に配設されている圧縮機、制御ボックス、その他の室外側機器類を保守点検するため、機械室に面する筐体の前面パネルから側面パネルにかけてのコーナー部に保守点検用の開口部を設け、その保守点検用開口部にサービスパネルを着脱自在に設置している空気調和機の室外ユニットが、従来から広く知られている。このサービスパネルは、一般にサービスパネル側の複数箇所に設けられている係止爪を、筐体側の前面パネルおよび側面パネルに設けられている係止孔に係止し、複数箇所でネジ止め固定することにより、筐体に対して着脱自在とされている。
【０００３】
特許文献１に、その一例が示されている。このものでは、サービスパネルの両側面の３箇所に係止爪を設けるとともに、開口部の両側に各爪と対応する係止孔を設け、一側端の係止爪の下端が係合孔の下端に接触し、その係止爪の上端と係合孔の上端縁とに隙間を有する一方、他側端の係止爪の上端部が係合孔の上端縁に係止し、その係止爪の下端部と係合孔の下端縁との間に隙間を有するとともに、サービスパネルの上端部が天板のフランジ裏面に係止される第一の状態と、各係止爪が係合孔に係合され、固定手段により本体に固定される第二の状態とで、サービスパネルを本体に保持する構成としたことにより、係止爪が視認しづらくとも、容易にサービスパネルを着脱でき、また、第一の状態からサービスパネルが不意に外れる不具合を防止できるようにしたものである。
【先行技術文献】
【特許文献】
【０００４】
【特許文献１】特開２０１２−７７７７号公報
【発明の概要】
【発明が解決しようとする課題】
【０００５】
上記のサービスパネルは、サービスパネル側の複数の係止爪を筐体側の係止孔に引っ掛けて係止した後、複数のネジでネジ止め固定することにより、筐体に対して着脱自在とされているが、特許文献１のものでは、係止爪が３箇所とされるとともに、ネジ止め箇所がその２倍以上とされている。このため、サービスパネルの脱着時、多数のネジを脱着しなければならず、サービス性が悪化する等の課題を有している。
【０００６】
また、両側面に設けられている複数の係止爪は、サービスパネルを持ち上げた状態で多少斜めにし、その上端部を天板のフランジ裏面側に挿し込んで係止しながら、爪部が長くされている一側端の係止爪の斜辺を係止孔に引っ掛け、その状態で複数の係止爪を同時に係止孔に挿し込み、係止しなければならないものであり、寸法の大きいサービスパネルであって製造ひずみや撓みがあるものの場合、サービスパネルを持ち上げながら、係止爪を係止孔に押し込まなければならず、一人で脱着を行うには困難を伴うものであった。
【０００７】
このように、係止爪とネジによりサービスパネルを着脱自在に設置する場合、ネジ止め箇所を少なくするには、その分係止爪による係止箇所を増やす必要がある。しかし、サービスパネルは上下方向寸法が比較的大きく、製造ひずみや撓みがあることから、係止爪による係止箇所が増加すると、増加した多数の係止爪を同時に係止孔に係止しなければならなくなり、一人で脱着作業を行うのが難しくなる等の課題があった。
【０００８】
本発明は、このような事情に鑑みてなされたものであって、ネジ止め箇所を減らし、係止爪による係止箇所を増やしたとしても、サービスパネルの脱着作業を一人で容易に行うことができる空気調和機の室外ユニットを提供することを目的とする。
【課題を解決するための手段】
【０００９】
上記した課題を解決するために、本発明の空気調和機の室外ユニットは、以下の手段を採用している。
すなわち、本発明にかかる空気調和機の室外ユニットは、筐体の前面パネルから側面パネルにかけてのコーナー部に開けられている保守点検用の開口部に着脱自在に設けられるサービスパネルと、前記サービスパネルの側面側端縁の上下方向複数箇所に後方に突出して設けられ、前記側面パネルに係脱される複数の第１係止爪と、前記サービスパネルの前面側端縁の上方領域および下方領域の各々に後方に突出して設けられ、前記前面パネルに係脱される各々１以上の第２係止爪および第３係止爪と、前記前面パネルおよび前記側面パネルの前記開口部周縁に前記第１係止爪、前記第２係止爪および前記第３係止爪と対応して設けられ、各係止爪が係脱される第１係止孔、第２係止孔および第３係止孔と、を備え、前記第１係止爪は、前記第１係止孔に対して係脱自在で、その基部の下面に下方に延びる掛り部と、上面に上方に延びる爪部とが設けられており、前記第２係止爪および前記第３係止爪は、前記第１係止爪の前記掛り部が前記第１係止孔の下端部に引っ掛けられた状態で前記第２係止孔および前記第３係止孔に対して係脱自在で、かつ前記サービスパネルが上方にスライドされ、前記第１係止爪の前記爪部が前記第１係止孔の上端部に掛って前記側面パネルに係止されたとき、前記第２係止爪または前記第３係止爪の一方の爪部が前記第２または第３係止孔の一方の上端部に掛って前記前面パネルに係止され、更に前記サービスパネルが上方にスライドされたとき、前記第２係止爪および前記第３係止爪の他方の爪部が前記第２または第３係止孔の他方の上端部に掛って前記前面パネルに係止される高さに設定された爪部を備えていることを特徴とする。
【００１０】
本発明によれば、サービスパネルの装着時、先ず側面側端縁の上下方向複数箇所に設けられている第１係止爪を第１係止孔に挿し込み、下方に延びる掛り部を第１係止孔の下端部に引っ掛けて係止することにより、サービスパネルの側面側を安定的に支持することができ、この状態でサービスパネルを、第１係止爪を支点にして廻し込むことにより前面側端縁の上方および下方領域に設けられている第２および第３係止爪を第２および第３係止孔に対して挿し込むことができる。続いて、第２または第３係止爪のうち爪部の高さが高くされている一方の係止爪が設けられている上方または下方領域の一方部位を押し込みながら、サービスパネルを上方にスライドさせることにより、第１係止爪の爪部と、爪部の高さが高くされている第２または第３係止爪の一方の係止爪の爪部とを、それぞれ第１係止孔および第２または第３係止孔の一方の上端部に掛けて側面パネルおよび前面パネルに係止させることができ、その後、爪部の高さが低くされている他方の係止爪が設けられている上方または下方領域の他方部位を押し込みながら、更にサービスパネルを上方にスライドさせることにより、他方の係止爪の爪部を対応する係止孔の上端部に掛けて前面パネルに係止させることができる。こうして、３種の第１ないし第３係止爪を順次第１ないし第３係止孔に挿し込み、係止させながら、複数の第１ないし第３係止爪の全てを第１ないし第３係止孔に係止することによって、サービスパネルを筐体の保守点検用の開口部に着脱自在に装着することができる。従って、係止爪による係止箇所を増やし、かつ多少のひずみや撓みがあるサービスパネルであっても、一人で容易に脱着作業を行うことができるとともに、ネジ止め箇所を最小限に減らすことにより、脱着時のサービス性を向上することができる。
【００１１】
さらに、本発明の空気調和機の室外ユニットは、上記の空気調和機の室外ユニットにおいて、前記第２係止爪および前記第３係止爪は、前記下方領域に設けられている前記第３係止爪の方が前記上方領域に設けられている前記第２係止爪よりも前記爪部の高さが高くされており、前記サービスパネルの上方へのスライド時、前記第３係止爪の方が先に前記第３係止孔の上端部に掛って前記前面パネルに係止可能とされていることを特徴とする。
【００１２】
本発明によれば、第２係止爪および第３係止爪は、下方領域に設けられている第３係止爪の方が第２係止爪よりも爪部の高さが高くされているため、最初にサービスパネルを上方にスライドさせて第１係止爪および第３係止爪を第１係止孔および第３係止孔の上端部に掛けて側面パネルおよび前面パネルに係止させる際、サービスパネルの下方領域を足のつま先等で押し込むことにより、第３係止爪を第３係止孔の上端部に掛けて前面パネルに係止させることができる。そして、第３係止爪が第３係止孔の上端部に掛った状態から更にサービスパネルを上方にスライドさせることにより、爪部の高さが低い第２係止爪を第２係止孔の上端部に掛けて、前面パネルに係止させことができる。従って、第３係止爪が外れない状態として、第２係止爪を第２係止孔に係止することができ、サービスパネルの前面側端縁に設けられている第２係止爪および第３係止爪の第２係止孔および第３係止孔への挿し込み、係止を容易化することができる。
【００１３】
さらに、本発明の空気調和機の室外ユニットは、上述のいずれかの空気調和機の室外ユニットにおいて、前記第２係止爪および前記第３係止爪の後方への突出幅は、前記第１係止爪の後方への突出幅の略２倍程度とされていることを特徴とする。
【００１４】
本発明によれば、第２係止爪および第３係止爪の後方への突出幅が、第１係止爪の後方への突出幅の略２倍程度とされているため、最初に第１係止孔に対して挿し込まれる第１係止爪は、突出幅が低くても第１係止孔に対して容易に挿し込み、係止することができる一方、後から第２および第３係止孔に挿し込まれる第２および第３係止爪は、突出幅が高くされている分だけ相互に位置合わせし易く、第２係止孔および第３係止孔に対して挿し込み、係止し易くすることができる。従って、第２係止爪および第３係止爪の後方への突出幅を変えることによっても、第２および第３係止孔への挿し込み、係止を容易化することができる。
【００１５】
さらに、本発明の空気調和機の室外ユニットは、上述のいずれかの空気調和機の室外ユニットにおいて、前記サービスパネルは、前記第１係止爪の前記掛り部が前記第１係止孔の下端部に引っ掛けられたとき、その前面側の下端縁が室外ユニットの設置面に接する高さに設定されていることを特徴とする。
【００１６】
本発明によれば、サービスパネルは、第１係止爪の掛り部が第１係止孔の下端部に引っ掛けられたとき、その前面側の下端縁が室外ユニットの設置面に接する高さに設定されているため、サービスパネルの装着時、第１係止爪を第１係止孔に挿し込み、掛り部を第１係止孔の下端部に引っ掛けた状態としたとき、その前面側の下端縁が室外ユニットの設置面に接することにより、サービスパネルの前面側を持ち上げなくても水平姿勢に安定的に支持することができる。従って、サービスパネルをその姿勢を保って第１係止爪を支点にして廻し込むことにより、第２および第３係止爪を第２および第３係止孔内に簡単に挿し込むことができる。
【００１７】
さらに、本発明の空気調和機の室外ユニットは、上述のいずれかの空気調和機の室外ユニットにおいて、前記サービスパネルは、最初の上方へのスライド時、その上部曲げガイド部が前記筐体の上面パネルの下縁に接し、更に上方に略同寸法スライドされることにより、前記第１ないし第３係止爪がそれぞれ前記第１ないし第３係止孔の上端部に当接可能とされていることを特徴とする。
【００１８】
本発明によれば、サービスパネルが、最初の上方へのスライド時、その上部曲げガイド部が筐体の上面パネルの下縁に接し、更に上方に略同寸法スライドされることにより、第１ないし第３係止爪がそれぞれ第１ないし第３係止孔の上端部に当接可能とされているため、サービスパネルを最初に上方にスライドする際、その上部曲げガイド部が筐体の上面パネルの下縁に当接する位置までスライドさせることにより、第１係止爪の爪部と、爪部の高さが高くされている第２または第３係止爪の一方の係止爪の爪部とを、第１係止孔および第２または第３係止孔の一方の上端部に掛けて側面パネルおよび前面パネルに係止させることができ、この位置を目安にして第２または第３係止爪の他方の係止爪の爪部を第２または第３係止孔の他方の上端部に掛けて前面パネルに係止させるべく、更にサービスパネルを上方にスライドさせることができる。従って、サービスパネル装着時の動作の切換え位置を明確化し、確実に全ての係止爪を係止孔に係止することができる。
【００１９】
さらに、本発明の空気調和機の室外ユニットは、上述のいずれかの空気調和機の室外ユニットにおいて、前記サービスパネルは、前面側の少なくとも上下２箇所で前記前面パネルに対してネジ止め固定されていることを特徴とする。
【００２０】
本発明によれば、サービスパネルが、前面側の少なくとも上下２箇所で前面パネルに対してネジ止め固定されているため、サービスパネルを着脱自在とする係止爪による係止箇所を増やし、その分ネジ止め固定箇所を減らして前面側の少なくとも上下２箇所とすることにより、サービスパネルを脱着する際、前面側の上下２箇所のネジを脱着するだけでサービスパネルを簡単に脱着することができる。従って、サービスパネル脱着時のサービス性を向上することができる。
【発明の効果】
【００２１】
本発明によると、３種の第１、第２および第３係止爪を順次第１ないし第３係止孔に挿し込み、係止させながら、複数の第１ないし第３係止爪の全てを第１ないし第３係止孔に係止することにより、サービスパネルを筐体の保守点検用開口部に着脱自在に装着し、最小箇所でネジ止めして固定することができるため、多少のひずみや撓みがあるサービスパネルであっても、一人で容易に脱着作業を行うことができるとともに、ネジ止め箇所を最小限に減らすことにより、脱着時のサービス性を向上することができる。
【図面の簡単な説明】
【００２２】
【図１】本発明の一実施形態に係る空気調和機の室外ユニットの斜視図である。
【図２】図１に示される空気調和機の室外ユニットに適用されたサービスパネルを正面側から見た斜視図である。
【図３】図２に示されるサービスパネルを裏面側から見た斜視図である。
【図４】図２中のＡ−Ａ断面相当図である。
【図５】図３に示される第１係止爪の拡大側面図である。
【図６】図３に示される第２係止爪の拡大側面図である。
【図７】図３に示される第３係止爪の拡大側面図である。
【図８】本発明のサービスパネル装着時の第１段階動作の説明図である。
【図９】本発明のサービスパネル装着時の第２段階動作の説明図である。
【図１０】本発明のサービスパネル装着時の第３段階動作の説明図である。
【発明を実施するための形態】
【００２３】
以下に、本発明の一実施形態について、図１ないし図１０を参照して説明する。
図１には、本発明の一実施形態に係る空気調和機の室外ユニットの斜視図が示され、図２および図３には、そのサービスパネルの正面側および裏面側の斜視図が示されている。
室外ユニット１は、据え付け脚２を備えているベースパネル３、吹出しグリル４が上下２箇所に設けられている前面パネル５、左右両側面に設けられる側面パネル６，７およびそれらの上面を覆う上面パネル８等によって構成される筐体９を備えている。なお、筐体９の背面側は、吸込みグリルとされている。
【００２４】
筐体９の内部は、熱交換室側と機械室側とに仕切られており、熱交換室側には、図示を省略した室外熱交換器、室外送風機等が配設されており、機械室側には、圧縮機、制御ボックス、その他の室外側機器類が配設されている。そして、この機械室側に配設されている室外側機器類を保守点検するため、筐体９の前面パネル５から側面パネル６にかけてのコーナー部に保守点検用の開口部１０が設けられ、該開口部１０にサービスパネル１１が着脱自在に設置されている。
【００２５】
サービスパネル１１は、図２および図３に示されるように、前面側１１Ａと側面側１１ＢとがＬ字断面形状をなすように折り曲げられたパネルであり、前面側１１Ａの下端部に下方に延長された延長部１１Ｃが設けられているとともに、略中央部に取手部１１Ｄが設けられている。また、サービスパネル１１の前面側１１Ａの上端縁には、図４に示されるように、サービスパネル１１の装着時、上面パネル８の下方に折り曲げられたフランジ部の下縁に当接する上部曲げガイド部１１Ｅが設けられている。
【００２６】
このサービスパネル１１の側面側１１Ｂの端縁には、上下方向に沿って略等間隔で３箇所に第１係止爪１２が設けられ、更に、前面側１１Ａの上方領域の端縁には、上下２箇所に第２係止爪１３が設けられるとともに、下方領域である下方への延長部１１Ｃの両端縁には、左右一対の第３係止爪１４が設けられている。本実施形態においては、係止爪は合計７箇所に設けられている。そして、このサービスパネル１１の第１係止爪１２を、後述する第１係止孔１５に挿し込み、その掛り部１２Ｃを第１係止孔１５の下端部に係止したとき、サービスパネル１１の延長部１１Ｃの下端縁が室外ユニット１の設置面に接する構成とされている。
【００２７】
第１係止爪１２は、図５に示されるように、側面側１１Ｂの端縁から後方への突出幅Ｗが、例えば５ｍｍ程度とされている基部１２Ａを備え、その基部１２Ａの上面に上方に延長する爪部１２Ｂと、下面に下方に延長する掛り部１２Ｃとが設けられた構成とされている。また、基部１２Ａの上下面には、第１係止爪１２を後述する第１係止孔１５に係止したとき、側面パネル６が嵌合する側面パネル６の板厚相当の溝１２Ｄ，１２Ｅが設けられている。この第１係止爪１２の上方に延びる爪部１２Ｂの溝１２Ｅからの高さＨは、例えば１８ｍｍ程度とされている。
【００２８】
第２係止爪１３は、図６に示されるように、前面側１１Ａの端縁から後方への突出幅Ｗ１が、例えば１０ｍｍ程度とされている基部１３Ａを備え、その基部１３Ａの上面に上方に延びる爪部１３Ｂが設けられた構成とされている。また、基部１３Ａの上面には、第２係止爪１３を後述する第２係止孔１６に係止したとき、前面パネル５が嵌合する前面パネル５の板厚相当の溝１３Ｃが設けられている。なお、この第２係止爪１３の爪部１３Ｂの溝１３Ｃからの高さＨ１は、例えば１０ｍｍ程度とされている。ここで、第２係止爪１３の突出幅Ｗ１（１０ｍｍ）は、第１係止爪１２の突出幅Ｗ（５ｍｍ）の略２倍（Ｗ１＝２Ｗ）とされ、また、爪部１３Ｂの高さＨ１（１０ｍｍ）は、第１係止爪１２の爪部１２Ｂの高さＨ（１８ｍｍ）よりも所定寸法だけ低く（Ｈ１＜Ｈ）されている。
【００２９】
さらに、第３係止爪１４は、図７に示されるように、延長部１１Ｃの両端縁から後方への突出幅がＷ１（例えば、１０ｍｍ）とされている基部１４Ａを備え、その基部１４Ａの上面に上方に延びる爪部１４Ｂが設けられた構成とされている。また、基部１４Ａの上面には、第３係止爪１４を後述する第３係止孔１７に係止したとき、前面パネル５が嵌合する前面パネル５の板厚相当の溝１４Ｃが設けられている。この第３係止爪１４の爪部１４Ｂの溝１４Ｃからの高さＨは、例えば１８ｍｍ程度とされている。ここで、第３係止爪１４の後方への突出幅Ｗ１（１０ｍｍ）は、第２係止爪１３と等しく、第１係止爪１２の突出幅Ｗ（５ｍｍ）の略２倍の幅（Ｗ１＝２Ｗ）とされ、また、爪部１４Ｂの高さＨ（１８ｍｍ）は、第１係止爪１２の爪部１２Ｂの高さＨ（１８ｍｍ）と等しくされている。
【００３０】
一方、前面パネル５および側面パネル６における開口部１０の周縁部位には、サービスパネル１１側に設けられている第１係止爪１２、第２係止爪１３および第３係止爪１４と対応する位置に設けられ、これら第１係止爪１２、第２係止爪１３および第３係止爪１４がそれぞれ係脱される第１係止孔１５、第２係止孔１６および第３係止孔１７が設けられている。つまり、側面パネル６の内側への折り曲げ部により形成された開口部１０の周縁には、図８ないし図１０に示されるように、Ｂで示した第１係止爪１２と対応して上下方向の３箇所に略等間隔で鉛直方向に細長く、上端部側に向って漸次幅が狭くなるように片側が傾斜面とされたスリット状の第１係止孔１５が設けられている。
【００３１】
また、前面パネル５の内側への折り曲げ部により形成された開口部１０の上方領域の周縁には、図８ないし図１０に示されるように、Ｃで示した第２係止爪１３と対応して上下方向の２箇所に所定間隔で第１係止孔１５と略同形状の鉛直方向に長いスリット状の第２係止孔１６が設けられており、同様に、その下方領域の周縁には、Ｄで示した第３係止爪１４と対応して左右２箇所に、第１および第２係止孔１５，１６と略同形状の鉛直方向に長いスリット状の第３係止孔１７が設けられている。
【００３２】
これらの第１係止孔１５、第２係止孔１６および第３係止孔１７は、サービスパネル１１の第１係止爪１２を第１係止孔１５に挿し込み、その掛り部１２Ｃの溝１２Ｄを第１係止孔１５の下端部に係止してサービスパネル１１を水平状態に保持（このとき、サービスパネル１１の延長部１１Ｃの下端縁が室外ユニット１の設置面に接する。）したとき、第２係止爪１３および第３係止爪１４が、第２係止孔１６および第３係止孔１７の各々の略中央部に挿し込まれるように、第２係止孔１６および第３係止孔１７の下端部位置が設定されている。以下、この位置および状態にセットされるサービスパネル１１の位置をサービスパネル１１の第１セット位置という。
【００３３】
また、第１係止孔１５、第２係止孔１６および第３係止孔１７の上端部は、第１係止爪１２、第２係止爪１３および第３係止爪１４が第１セット位置にセットされたときの溝１２Ｄ，１３Ｃ，１４Ｃからの寸法が同一高さとなる位置に設定されており、第１係止爪１２の掛り部１２Ｃが第１係止孔１５の下端部に係止された位置からサービスパネル１１を上方に１０ｍｍ程度スライドさせたとき、第１係止爪１２および第３係止爪１４の爪部１２Ｂ，１４Ｂの上端が、第１係止孔１５および第３係止孔１７の上端部に引っ掛かるとともに、サービスパネル１１の上部曲げガイド部１１Ｅが上面パネル８の下方に折り曲げられたフランジ部の下縁に接する位置に設定されている。以下、この位置をサービスパネル１１の第２セット位置という。
【００３４】
上記第２セット位置から更にサービスパネル１１を上方に１５ｍｍ程度スライドさせたとき、第２係止爪１３の爪部１３Ｂが第２係止孔１６の上端部に引っ掛かり、全ての第１係止爪１２、第２係止爪１３および第３係止爪１４の溝１２Ｄ，１３Ｃ，１４Ｃが、第１係止孔１５、第２係止孔１６および第３係止孔１７の上端部にそれぞれ係止されることにより、サービスパネル１１が所定の装着位置にセット（以下、第３セット位置という。）されるようになっている。この第３セット位置にセットされたサービスパネル１１を、上下２箇所でネジ１８を介してネジ留め固定することにより、サービスパネル１１を着脱自在に固定設置できる構成とされている。
【００３５】
次に、サービスパネル１１の着脱動作と、第１係止爪１２、第２係止爪１３、第３係止爪１４の掛り方について、図８ないし図１０を参照して説明する。
サービスパネル１１を装着する際、まず図８に示されるように、上下３箇所の第１係止爪１２を側面パネル６側の第１係止孔１５に挿し込み、その掛り部１２Ｃを第１係止孔１５の下端部に引っ掛けて係止する。このとき、サービスパネル１１の延長部１１Ｃの下端縁が室外ユニット１の設置面に接する高さとされているため、サービスパネル１１を水平姿勢に安定的に保持することができる。
【００３６】
この状態でサービスパネル１１を、第１係止爪１２を支点にして前面側１１Ａを廻し込むように押し込むことにより、第２係止爪１３および第３係止爪１４が、図８に示されるように、それぞれ第２係止孔１６および第３係止孔１７に挿し込まれた状態とされ、サービスパネル１１は、第１セット位置にセットされる。この第１セット位置にセットされたサービスパネル１１は、その第１係止爪１２の掛り部１２Ｃが第１係止孔１５の下端部に引っ掛けられるとともに、延長部１１Ｃの下端縁が室外ユニット１の設置面に接地されることから、上記の如く、倒れる心配はなく、水平状態に安定的に保持することができる。
【００３７】
続いて、サービスパネル１１を僅かに後方側へ押え込みながら、第１ないし第３係止孔１５，１６，１７に沿って上方に１０ｍｍ程度スライドさせることにより、サービスパネル１１を第２セット位置とセットする。この際、サービスパネル１１にひずみや撓みがあっても、少なくとも第１係止爪１２および第３係止爪１４が第１係止孔１５および第３係止孔１７から離脱しないように、サービスパネル１１の下方領域を必要に応じて足のつま先等で押え込みながらスライドさせるとよい。
【００３８】
サービスパネル１１が第２セット位置に移動されたことは、サービスパネル１１の上端縁に設けられている上部曲げガイド部１１Ｅが、上面パネル８の下方に折り曲げられたフランジ部の下縁に接することにより認識することができる。サービスパネル１１が第２セット位置にスライドされたタイミングで、第１係止爪１２および第３係止爪１４の爪部１２Ｂ，１４Ｂの上端が、図９に示されるように、第１係止孔１５および第３係止孔１７の上端部に引っ掛るため、第１係止爪１２および第３係止爪１４は、第１係止孔１５および第３係止孔１７から離脱が不能な状態となる。この状態で第２係止爪１３は、爪部１３Ｂの高さＨ１が低いため、第２係止孔１６に対して未だ係脱自在の関係を保っている。
【００３９】
このため、サービスパネル１１にひずみや撓みがあり、それが原因でサービスパネル１１を第１セット位置から第２セット位置に移動する際、第２係止爪１３が第２係止孔１６から離脱するようなことがあっても、そのことに注意を払う必要はなく、サービスパネル１１の下方領域のみを押え込めばよく、サービスパネル１１の上方領域を第２係止爪１３が離脱しないように押え込む動作を不要とし、サービスパネル１１の装着動作を簡易化することができる。
【００４０】
このように、サービスパネル１１を第２セット位置に移動させ、第１係止爪１２および第３係止爪１４の爪部１２Ｂ，１４Ｂを、第１係止孔１５および第３係止孔１７の上端部に引っ掛けて、第１係止爪１２および第３係止爪１４を第１係止孔１５および第３係止孔１７から離脱不能な状態とした後、サービスパネル１１を更に上方に１５ｍｍ程度スライドさせ、第３セット位置に移動する。これによって、図１０に示されるように、第１係止爪１２、第２係止爪１３および第３係止爪１４は、それぞれ第１係止孔１５、第２係止孔１６および第３係止孔１７の上端部に係止され、その基部１２Ａ，１３Ａ，１４Ａの各溝１２Ｄ，１３Ｃ，１４Ｃに側面パネル６および前面パネル５が嵌合された状態となる。
【００４１】
この際、第１係止爪１２および第３係止爪１４が、第１係止孔１５および第３係止孔１７から離脱する心配がないことから、サービスパネル１１の上方領域のみを押え込んで第２係止爪１３を第２係止孔１６に挿し込み、サービスパネル１１を上方にスライドすればよく、サービスパネル１１の装着動作を簡易化することができる。そして、第３セット位置にセットされたサービスパネル１１の上下２箇所をネジ１８でネジ止め固定することにより、サービスパネル１１を所定位置に着脱自在に装着することができる。なお、サービスパネル１１を保守点検時に筐体９から取り外すには、上記動作の逆動作によって、簡単に離脱することができる。
【００４２】
斯くして、本実施形態によれば、サービスパネル１１の装着時、先ず側面側１１Ｂの端縁の上下方向複数箇所に設けられている第１係止爪１２を第１係止孔１５に挿し込み、下方に延びる掛り部１２Ｃを第１係止孔１５の下端部に引っ掛けて係止することにより、サービスパネル１１の側面側１１Ｂを安定的に支持することができ、この状態でサービスパネル１１を、第１係止爪１２を支点にして廻し込むことによって、前面側１１Ａの端縁の上方および下方領域に設けられている第２および第３係止爪１３，１４を第２および第３係止孔１６，１７に対して挿し込むことができる。
【００４３】
続いて、第２および第３係止爪１３，１４のうち、爪部１３Ｂ，１４Ｂの高さＨが高くされている一方の第３係止爪１４が設けられている下方領域を押し込みながら、サービスパネル１１を上方にスライドさせることによって、第１係止爪１２の爪部１２Ｂと、第３係止爪１４の爪部１４Ｂとを、それぞれ第１係止孔１５および第３係止孔１７の一方の上端部に掛けて側面パネル６および前面パネル５に係止させることができる。その後、爪部１３Ｂ，１４Ｂの高さＨ１が低くされている他方の第２係止爪１３が設けられている上方領域を押し込みながら、更にサービスパネル１１を上方にスライドさせることにより、他方の第２係止爪１３の爪部１３Ｂを対応する第２係止孔１６の上端部に掛けて前面パネル５に係止させることができる。
【００４４】
このように、３種の第１ないし第３係止爪１２，１３，１４を順次第１ないし第３係止孔１５，１６，１７に挿し込み、係止させながら、複数の第１係止爪１２、第２係止爪１３および第３係止爪１４の全てを第１係止孔１５、第２係止孔１６および第３係止孔１７にそれぞれ係止させることにより、サービスパネル１１を筐体９の保守点検用の開口部１０に着脱自在に装着し、上下２箇所の最小箇所でネジ１８によりネジ止め固定することができる。従って、多少のひずみや撓みがあるサービスパネル１１であっても、一人で容易に脱着作業を行うことができるとともに、ネジ止め箇所を最小限に減らすことにより、脱着時のサービス性を向上することができる。
【００４５】
また、本実施形態では、サービスパネル１１の下方領域に設けられている第３係止爪１４の方が、上方領域に設けられている第２係止爪１３よりも爪部１４Ｂの高さＨが高くされているため、最初にサービスパネル１１を上方にスライドさせて第１係止爪１２および第３係止爪１４を第１係止孔１５および第３係止孔１７の上端部に掛けて側面パネル６および前面パネル５に係止させる際、サービスパネル１１の下方領域を足のつま先等で押し込むことによって、第３係止爪１４を第３係止孔１７の上端部に掛けて前面パネル５に係止させることができる。そして、第３係止爪１４が第３係止孔１７の上端部に掛った状態から更にサービスパネル１１を上方にスライドさせることにより、爪部１３Ｂの高さが低い第２係止爪１３を第２係止孔１６の上端部に掛けて、前面パネル５に係止させることができる。
【００４６】
これにより、第３係止爪１４が第３係止孔１７から外れることのない状態として、第２係止爪１３を第２係止孔１６に係止することができ、サービスパネル１１の前面側端縁に設けられている第２係止爪１３および第３係止爪１４の第２係止孔１６および第３係止孔１７への挿し込み、係止を容易化することができる。
【００４７】
また、上記第２係止爪１３および第３係止爪１４の後方への突出幅Ｗ１が、第１係止爪１２の後方への突出幅Ｗの略２倍程度とされている。このため、最初に第１係止孔１５に対して挿し込まれる第１係止爪１２は、突出幅Ｗが低くても第１係止孔１５に対して容易に挿し込み、係止することができる一方、後から第２および第３係止孔１６，１７に挿し込まれる第２および第３係止爪１３，１４は、突出幅Ｗ１が高くされている分だけ相互に位置合わせし易く、第２係止孔１６および第３係止孔１７に対して挿し込み、係止し易くすることができる。従って、第２係止爪１３および第３係止爪１４の後方への突出幅Ｗ１を変えることによっても、第２および第３係止孔１６，１７への挿し込み、係止を容易化することができる。
【００４８】
さらに、サービスパネル１１は、第１係止爪１２の掛り部１２Ｃが第１係止孔１５の下端部に引っ掛けられたとき、その前面側１１Ａの下端縁が室外ユニット１の設置面に接する高さに設定されている。このため、サービスパネル１１の装着時、第１係止爪１２を第１係止孔１５に挿し込み、掛り部１２Ｃを第１係止孔１５の下端部に引っ掛けた状態としたとき、その前面側１１Ａの下端縁が室外ユニット１の設置面に接することにより、サービスパネル１１の前面側１１Ａを持ち上げなくても、第１セット位置に水平姿勢を保って安定的に支持することができる。従って、サービスパネル１１をその姿勢を保って第１係止爪１２を支点にして廻し込むことにより、第２および第３係止爪１３，１４を第２および第３係止孔１６，１７内に簡単に挿し込むことができる。
【００４９】
また、サービスパネル１１が、第１セット位置から第２セット位置へと上方にスライドされた時、その上部曲げガイド部１１Ｅが筐体９の上面パネル８の下縁に接し、更に上方に略同寸法スライドされることによって、第１係止爪１２、第２係止爪１３および第３係止爪１４が、それぞれ第１係止孔１５、第２係止孔１６および第３係止孔１７の上端部に対して当接されるようになっている。
【００５０】
このため、サービスパネル１１を最初に上方にスライドする際、その上部曲げガイド部１１Ｅが筐体９の上面パネル８の下縁に接する位置までスライドさせることにより、第１係止爪１２の爪部１２Ｂと、爪部の高さＨが高くされている第３係止爪１４の爪部１４Ｂとを、第１係止孔１５および第３係止孔１７の上端部に掛けて側面パネル６および前面パネル５に係止させることができ、この位置を目安にして第２係止爪１３の爪部１３Ｂを第２係止孔１６の上端部に掛けて前面パネル５に係止させるべく、更にサービスパネル１１を上方にスライドさせることができる。従って、サービスパネル１１の装着時の動作の切換え位置を明確化し、確実に全ての係止爪１２，１３，１４を係止孔１５，１６，１７に係止することができる。
【００５１】
さらに、本実施形態では、サービスパネル１１が、前面側１１Ａの少なくとも上下２箇所で前面パネル５に対してネジ１８によりネジ止め固定されている。このため、サービスパネル１１を着脱自在とする係止爪１２，１３，１４による係止箇所を増やし、その分ネジ１８によるネジ止め固定箇所を減らして前面側１１Ａの少なくとも上下２箇所とすることにより、サービスパネル１１を脱着する際、前面側１１Ａの上下２箇所のネジ１８を脱着するだけでサービスパネル１１を簡単に脱着することができる。従って、サービスパネル１１の脱着時のサービス性を向上することができる。
【００５２】
なお、本発明は、上記実施形態にかかる発明に限定されるものではなく、その要旨を逸脱しない範囲において、適宜変形が可能である。例えば、上記実施形態では、第２係止爪１３の爪部１３Ｂの高さＨ１を、第３係止爪１４の爪部１４Ｂの高さＨよりも低く（Ｈ１＜Ｈ）し、第２セット位置で第３係止爪１４の爪部１４Ｂを、第２係止爪１３の爪部１３Ｂよりも先に第３係止孔１７の上端部に引っ掛け係止する構成としているが、逆に第３係止爪１４の爪部１４Ｂの高さを低くしてＨ１とし、第２係止爪１３の爪部１３Ｂの高さをＨとすることにより、第２セット位置で第２係止爪１３の爪部１３Ｂを、第３係止爪１４の爪部１４Ｂよりも先に第２係止孔１６の上端部に引っ掛け係止し、第３セット位置で第３係止爪１４の爪部１４Ｂを、第３係止孔１７の上端部に引っ掛け係止する構成としてもよい。
【００５３】
この場合、サービスパネル１１を最初に上方にスライドする際、その上部曲げガイド部１１Ｅが筐体９の上面パネル８の下縁に接する位置までスライドさせることにより、第１係止爪１２の爪部１２Ｂと、爪部の高さＨが高くされている第２係止爪１３の爪部１３Ｂとを、第１係止孔１５および第２係止孔１６の上端部に掛けて側面パネル６および前面パネル５に係止させることができ、この位置を目安にして第３係止爪１４の爪部１４Ｂを第３係止孔１７の上端部に掛けて前面パネル５に係止させるべく、更に、サービスパネル１１を上方にスライドさせることによって、確実に全ての係止爪１２，１３，１４を係止孔１５，１６，１７に係止することができる。
【００５４】
また、上記実施形態では、第１係止爪１２を上下方向３箇所、第２係止爪１３を上下方向２箇所、第３係止爪１４を左右に一対も設けた例について説明したが、これら係止爪の数は、適宜増減することができ、係止爪の数を増減した場合、それに対応させて係止孔も適宜増減すればよい。
【符号の説明】
【００５５】
１  室外ユニット
５  前面パネル
６  側面パネル
９  筐体
１０  保守点検用の開口部
１１  サービスパネル
１１Ａ  前面側
１１Ｂ  側面側
１１Ｃ  下方への延長部
１１Ｅ  上部曲げガイド部
１２  第１係止爪
１２Ａ  基部
１２Ｂ  爪部
１２Ｃ  掛り部
１３  第２係止爪
１３Ａ  基部
１３Ｂ  爪部
１４  第３係止爪
１４Ａ  基部
１４Ｂ  爪部
１５  第１係止孔
１６  第２係止孔
１７  第３係止孔
１８  ネジ
Ｈ，Ｈ１  爪部の高さ
Ｗ，Ｗ１  係止爪の突出幅
【図１】
2014047957.tif 000003
【図２】
2014047957.tif 000004
【図３】
2014047957.tif 000005
【図４】
2014047957.tif 000006
【図５】
2014047957.tif 000007
【図６】
2014047957.tif 000008
【図７】
2014047957.tif 000009
【図８】
2014047957.tif 000010
【図９】
2014047957.tif 000011
【図１０】
2014047957.tif 000012